(57)【要約】【課題】ユーザにとっては、使用しようとする機能に絞った効果的なデモンストレーションを行わせることができ、販売店にとっては、その時々の状況や要望に合ったデモンストレーションを行うことができるようにする。【解決手段】デモンストレーションモード設定画面では、デモンストレーションモードを有効にするか否か、および、有効にする場合、いずれの機能のデモンストレーションを行うかを、利用者に選択させる。利用者が地上デジタル放送受信機能および写真機能（デジタルカメラで撮ってメモリーカードに記録した静止画を表示する機能）のみを選択した場合、設定後のデモンストレーションモードでは、一のデモンストレーションモード実行画面９３で、地上デジタル放送として、どのようなチャンネルないし番組プログラムが存在するかを紹介し、他のデモンストレーションモード実行画面で、どのような写真（静止画）が存在するかを紹介する。【選択図】図４
2007081600.tif 000002
【特許請求の範囲】
【請求項１】
テレビジョン放送の受信を含む多種の機能によってディスプレイ上に映像を表示する映像表示システムの機能のデモンストレーションをする方法であって、
デモンストレーションモードを有効にするか否か、および、デモンストレーションモードを有効にする場合には、いずれの機能のデモンストレーションを行うかを、利用者に選択させるデモンストレーションモード設定画面を、前記ディスプレイ上に表示するステップと、
前記デモンストレーションモード設定画面上で選択された機能の紹介を、デモンストレーションモードとして設定するステップと、
利用者によってデモンストレーションモードが選択されたとき、前記デモンストレーションモード設定画面上で選択された機能を紹介するデモンストレーションモード実行画面を、前記ディスプレイ上に表示するステップと、
を備えることを特徴とする機能デモンストレーション方法。
【請求項２】
請求項１の機能デモンストレーション方法において、
前記デモンストレーションモード設定画面上で選択可能な機能の少なくとも一つは、記録媒体に記録されている動画または静止画を当該記録媒体から再生し、前記ディスプレイ上に表示する機能であることを特徴とする機能デモンストレーション方法。
【請求項３】
請求項１の機能デモンストレーション方法において、
前記デモンストレーションモード実行画面では、前記デモンストレーションモード設定画面上で選択された機能の項目を、一方向に配列して表示することを特徴とする機能デモンストレーション方法。
【請求項４】
請求項３の機能デモンストレーション方法において、
前記デモンストレーションモード実行画面では、前記デモンストレーションモード設定画面上で選択された機能が複数の下位機能を有するとき、その複数の下位機能の項目を、前記一方向と直交する方向に配列して表示することを特徴とする機能デモンストレーション方法。
【請求項５】
請求項４の機能デモンストレーション方法において、
前記デモンストレーションモード実行画面では、前記下位機能の項目上に順次、カーソルを移動させることを特徴とする機能デモンストレーション方法。
【請求項６】
請求項５の機能デモンストレーション方法において、
前記デモンストレーションモード実行画面では、前記カーソルの位置の近傍に、当該カーソルによって指示された下位機能の概要または関連事項を表示することを特徴とする機能デモンストレーション方法。
【請求項７】
請求項５の機能デモンストレーション方法において、
前記デモンストレーションモード実行画面が表示されている状態で機能実行の指示があったとき、そのとき前記カーソルによって指示されていた下位機能を実行することを特徴とする機能デモンストレーション方法。
【請求項８】
テレビジョン放送の受信を含む多種の機能によってディスプレイ上に映像を表示する映像表示システムのリモートコントローラであって、
前記ディスプレイ上に、デモンストレーションモードを有効にするか否か、および、デモンストレーションモードを有効にする場合には、いずれの機能のデモンストレーションを行うかを、利用者に選択させるデモンストレーションモード設定画面を表示させるとともに、そのデモンストレーションモード設定画面上で選択された機能の紹介を、デモンストレーションモードとして設定させるデモンストレーションモード設定操作手段と、
前記ディスプレイ上に、前記デモンストレーションモード設定画面上で選択された機能を紹介するデモンストレーションモード実行画面を表示させるデモンストレーションモード実行操作手段と、
を備えることを特徴とするリモートコントローラ。
【請求項９】
請求項８のリモートコントローラにおいて、
さらに、前記ディスプレイ上に前記デモンストレーションモード実行画面が表示されている状態で操作されたとき、そのとき前記デモンストレーションモード実行画面上で指示されていた機能を実行させる機能実行操作手段を備えることを特徴とするリモートコントローラ。
【発明の詳細な説明】
【技術分野】
【０００１】
この発明は、多機能テレビジョン受信機のように、テレビジョン放送の受信を含む多種の機能によってディスプレイ上に映像を表示する映像表示システムの、機能デモンストレーション方法およびリモートコントローラに関する。
【背景技術】
【０００２】
テレビジョン放送のデジタル化や、ＤＶＤプレーヤ、ハードディスクレコーダ、デジタルカメラなどの普及に伴い、テレビジョン受信機の機能は多様化・複雑化しているため、ユーザは、なかなか、それらを使いこなすことができない。
【０００３】
そこで、取り扱い説明書などを読まなくても、テレビジョン受信機が備える各機能を理解することができるように、テレビジョン受信機にデモンストレーション機能を付加し、ユーザが購入時のセットアップ時にデモンストレーションモードを有効にすることによって、受信機のディスプレイ上に当該受信機が備える各機能を紹介することが考えられている。
【０００４】
なお、特許文献１（特開２００１−４１５５１号公報）には、多機能の空気調和機（エアコン）で機能のデモンストレーションを行うことが示されている。
【０００５】
また、特許文献２（特開平３−３３８９３号公報）には、ディスプレイ装置の表示画面の形状、大きさ、または表示位置を調整する際に、調整モードに対応するデモンストレーションモードを選択することによって、調整モードのデモンストレーションを行うことが示されている。
【０００６】
上に挙げた先行技術文献は、以下の通りである。
【特許文献１】特開２００１−４１５５１号公報
【特許文献２】特開平３−３３８９３号公報
【発明の開示】
【発明が解決しようとする課題】
【０００７】
しかしながら、多機能テレビジョン受信機の機能のデモンストレーションとして、上述したように受信機が備える各機能を網羅的・画一的に紹介しても、その内容は、必ずしも一般のユーザが求めている、あるいは知りたいと思っている内容と一致しているとは言えない。
【０００８】
例えば、ＤＶＤプレーヤやデジタルカメラなどは持っていないで、テレビジョン放送しか見ないユーザにとっては、ＤＶＤ再生機能や写真機能（デジタルカメラで撮った静止画を表示する機能）などが紹介されても、意味がない。
【０００９】
販売店が店頭で顧客に受信機の機能のデモンストレーションをする場合でも、常に網羅的・画一的な紹介をするのではなく、時季や地域、顧客の層や要望などに応じて、あるときは地上デジタル放送やテレビジョン放送全般の受信機能を重点的・集中的に紹介し、あるときはハードディスク録画再生機能やゲーム機能などを重点的・集中的に紹介したい場合がある。
【００１０】
そこで、この発明は、テレビジョン放送の受信を含む多種の機能によってディスプレイ上に映像を表示する映像表示システムの機能のデモンストレーションをする方法において、一般のユーザにとっては、自身が欲し、使用しようとする機能に絞った効果的なデモンストレーションを行わせることができ、販売店にとっては、その時々の状況や要望に合ったデモンストレーションを行うことができるようにしたものである。
【課題を解決するための手段】
【００１１】
この発明の機能デモンストレーション方法は、
テレビジョン放送の受信を含む多種の機能によってディスプレイ上に映像を表示する映像表示システムの機能のデモンストレーションをする方法であって、
デモンストレーションモードを有効にするか否か、および、デモンストレーションモードを有効にする場合には、いずれの機能のデモンストレーションを行うかを、利用者に選択させるデモンストレーションモード設定画面を、前記ディスプレイ上に表示するステップと、
前記デモンストレーションモード設定画面上で選択された機能の紹介を、デモンストレーションモードとして設定するステップと、
利用者によってデモンストレーションモードが選択されたとき、前記デモンストレーションモード設定画面上で選択された機能を紹介するデモンストレーションモード実行画面を、前記ディスプレイ上に表示するステップと、
を備えることを特徴とする。
【００１２】
上記の、この発明の機能デモンストレーション方法では、一般のユーザや販売店などの利用者は、デモンストレーションモードを有効にする場合、デモンストレーションモード設定画面上で任意の機能を選択すればよい。
【００１３】
これによって、一般のユーザは、自身が欲し、使用しようとする機能に絞った効果的なデモンストレーションを行わせることができ、いずれのユーザも、機能の理解が深まり、機能を存分に楽しむことができるようになるとともに、販売店は、その時々の状況や要望に合ったデモンストレーションを行うことができる。
【発明の効果】
【００１４】
以上のように、この発明によれば、一般のユーザにとっては、自身が欲し、使用しようとする機能に絞った効果的なデモンストレーションを行わせることができ、販売店にとっては、その時々の状況や要望に合ったデモンストレーションを行うことができる。
【発明を実施するための最良の形態】
【００１５】
［１．映像表示システムの実施形態：図１および図２］
（１−１．システム構成：図１）
図１は、この発明の機能デモンストレーション方法を実行する映像表示システムの一例を示す。
【００１６】
この例の映像表示システム１０は、テレビジョン受信機として、各種のテレビジョン放送を受信し、その映像を表示し、音声を出力する機能を備えるが、同時に、ＤＶＤプレーヤなどの各種の映像機器が接続され、メモリーカードなどの記録媒体が接続されることによって、テレビジョン放送受信機能以外の各種機能を実行できるものである。
【００１７】
具体的に、映像表示システム１０は、テレビジョン受信機として、制御部２０を備え、地上アナログチューナ３１がインタフェース３２を介して制御部２０に接続され、地上デジタルチューナ３３がインタフェース３４を介して制御部２０に接続され、ＢＳデジタルチューナ３５がインタフェース３６を介して制御部２０に接続され、ＣＳデジタルチューナ３７がインタフェース３８を介して制御部２０に接続され、液晶ディスプレイなどのディスプレイ５１が映像処理部５２を介して制御部２０に接続され、スピーカ（複数チャンネルのスピーカ群）５３が音声処理部５４を介して制御部２０に接続される。
【００１８】
制御部２０は、図では省略したが、ＣＰＵ、各種のプログラムやデータが書き込まれたＲＯＭ、およびプログラムやデータが展開されるＲＡＭなどを有するものである。
【００１９】
インタフェース３２，３４，３６および３８は、それぞれ地上アナログチューナ３１、地上デジタルチューナ３３、ＢＳデジタルチューナ３５およびＣＳデジタルチューナ３７で選局された、それぞれ地上アナログ放送、地上デジタル放送、ＢＳデジタル放送およびＣＳデジタル放送の信号を処理して、制御部２０に送出するものである。
【００２０】
さらに、この例の映像表示システム１０では、ＤＶＤプレーヤ４１がインタフェース４２を介して制御部２０に接続され、ハードディスクレコーダ４３がインタフェース４４を介して制御部２０に接続され、ゲーム機４５がインタフェース４６を介して制御部２０に接続され、メモリーカード４７がインタフェース４８を介して制御部２０に接続される。
【００２１】
ＤＶＤプレーヤ４１は、これに装着されたＤＶＤに記録されている映像および音声を再生するものであり、ハードディスクレコーダ４３は、これに内蔵されているハードディスクに映像および音声を記録し、ハードディスクに記録されている映像および音声を再生するものであり、ゲーム機４５は、映像表示システム１０（テレビジョン受信機）に接続することによって、ゲームの映像をディスプレイ５１上に表示し、ゲームの音声をスピーカ５３から出力できるものである。
【００２２】
メモリーカード４７は、デジタルカメラで撮った静止画（写真）が記録されているものであり、これを映像表示システム１０（テレビジョン受信機）に接続することによって、これに記録されている静止画をディスプレイ５１上に表示できるものである。
【００２３】
したがって、この例の映像表示システム１０は、映像（動画または静止画）の表示に関する機能として、
（１）地上アナログ放送受信機能、
（２）地上デジタル放送受信機能、
（３）ＢＳデジタル放送受信機能、
（４）ＣＳデジタル放送受信機能、
（５）ＤＶＤ再生機能、
（６）ハードディスク録画再生機能、
（７）ゲーム機能、
（８）写真機能（静止画表示機能）、
の各機能を有するものである。
【００２４】
映像表示システム１０は、リモートコントローラ６０を備える。リモートコントローラ６０から送信された赤外線リモートコントロール信号は、受信機本体に設けられた受信部（赤外線受光部）５６で受信され、処理されて、制御部２０に取り込まれる。
【００２５】
（１−２．リモートコントローラの例：図２）
図２に、リモートコントローラ６０の一例を示す。
【００２６】
この例のリモートコントローラ６０は、前方側の一端部に、送信部（赤外線発光部）６１を備え、その後方側に、電源ボタン６２、機能選択ボタン６３および液晶表示部６４が設けられる。
【００２７】
液晶表示部６４には、機能選択ボタン６３によって選択された機能（機器）が、テレビジョン放送受信機能（テレビジョン受信機）であれば“ＴＶ”、ＤＶＤ再生機能（ＤＶＤプレーヤ４１）であれば“ＤＶＤ”、などのように表示される。
【００２８】
液晶表示部６４の前方側には、消音や音声切換などの操作のためのボタン群６５が設けられる。
【００２９】
液晶表示部６４の後方側には、それぞれ地上アナログ放送、地上デジタル放送、ＢＳデジタル放送およびＣＳデジタル放送を受信するためのボタン６６，６７，６８および６９が設けられる。
【００３０】
これらボタン６６，６７，６８および６９の後方側には、１から１２までの数字が印されたチャンネル切換ボタン群７１、＋，−が印されたチャンネル選択ボタン７２、＋，−が印された音量調整ボタン７３、および入力切換などの操作のためのボタン群７４が設けられる。
【００３１】
さらに、リモートコントローラ６０の中央部には、前後左右に揺動するジョイスティック７５が設けられ、ジョイスティック７５の中心部に、決定ボタン７６が設けられ、ジョイスティック７５の外周部に、ホームボタン７７が設けられる。ホームボタン７７は、ホームモード、例えばディスプレイ５１上に地上アナログ放送のメニュー画面が表示される状態にするためのボタンである。
【００３２】
ジョイスティック７５、決定ボタン７６およびホームボタン７７を含むジョイスティック操作部７８の後方側には、ＤＶＤプレーヤ４１での再生やハードディスクレコーダ４３での録画再生などの操作のためのボタン群７９が設けられる。
【００３３】
さらに、このボタン群７９の後方側には、デモンストレーションモード関連ボタン群８１として、デモンストレーションモードの設定のためのモード設定ボタン８２、デモンストレーションモードの実行のためのモード実行ボタン８３、およびデモンストレーションモードで選択された機能を直接実行するためのジャンプボタン８４が設けられる。
【００３４】
デモンストレーションモード関連ボタン群８１の後方側には、その他の各種操作のためのボタン群８６が設けられる。
【００３５】
なお、この例のリモートコントローラ６０は、ジョイスティック操作部７８の位置にヒンジ８８が設けられて、前方側の一半部６０ａを後方側の一半部６０ｂに対して開閉できるようにされ、図２に示すような開いた状態から図では省略した閉じた状態に折り畳むことができるようにされる。
【００３６】
前方側の一半部６０ａの後方側の縁は、ジョイスティック操作部７８の外周に沿う形状とされ、前方側の一半部６０ａを後方側の一半部６０ｂに対して折り畳んだとき、ジョイスティック操作部７８が露出するようにされる。
【００３７】
また、図では省略したが、このように折り畳んだ状態でも、テレビジョン受信機の電源のＯＮ／ＯＦＦやチャンネル選択などができるように、リモートコントローラ６０の一半部６０ａの液晶表示部６４などが設けられる内面側とは反対側の外面側にも、電源ボタンやチャンネル選択ボタンなどが設けられるとともに、ジョイスティック操作部７８の前方側外周部にも、送信部（赤外線発光部）が設けられる。
【００３８】
図では省略したが、リモートコントローラ６０は、ＣＰＵ、各種のプログラムやデータが書き込まれたＲＯＭ、およびプログラムやデータが展開されるＲＡＭなどからなる制御部を備える。
【００３９】
［２．機能デモンストレーション方法の実施形態：図３〜図６］
（２−１．デモンストレーションモードの設定および実行：図３〜図５）
上記の映像表示システム１０で、ユーザが受信機購入後、または販売店が適宜、デモンストレーションモードの設定をしようとするときには、リモートコントローラ６０のデモンストレーションモード関連ボタン群８１中のモード設定ボタン８２を押す。モード設定ボタン８２が押されると、映像表示システム１０のディスプレイ５１上には、図３に示すようなデモンストレーションモード設定画面９１が表示される。
【００４０】
このデモンストレーションモード設定画面９１では、「お買い上げ時の簡単セットアップ」などと題して、デモンストレーションモードを有効にするか否かが表示され、さらにデモンストレーションモードを有効にする場合には、上記（１）〜（８）の機能中の、いずれの機能を利用するか、すなわち、いずれの機能のデモンストレーションを行うかが表示される。
【００４１】
利用者（ユーザまたは販売店）は、リモートコントローラ６０のジョイスティック７５によりデモンストレーションモード設定画面９１上でカーソルを動かし、決定ボタン７６を押下するなどの操作によって、デモンストレーションモードを有効にするか否かを選択し、有効にする場合には、デモンストレーションモードで紹介されるべき機能を選択する。
【００４２】
図３は、利用者がデモンストレーションモードを有効とし、かつ地上デジタル放送受信機能（「地上デジタル放送を見たい」）および写真機能（「写真を楽しみたい」）を選択した場合である。
【００４３】
このように選択した後、例えば、利用者が再度、モード設定ボタン８２を押すことによって、デモンストレーションモードが設定され、設定状態がリモートコントローラ６０および受信機本体に登録される。
【００４４】
このようにデモンストレーションモードが設定された状態で、利用者がモード実行ボタン８３を押すと、デモンストレーションモードが実行され、ディスプレイ５１上にデモンストレーションモード実行画面が表示される。
【００４５】
例えば、上記のようにデモンストレーションモード設定時、地上デジタル放送受信機能および写真機能が選択された場合には、まず、地上デジタル放送受信機能についての図４に示すようなデモンストレーションモード実行画面９３が表示される。
【００４６】
このデモンストレーションモード実行画面９３では、各機能を示す「メモリーカード」「地上デジタル」「ＢＳ」「ＣＳ」などの項目が、左右方向（横方向）に配列されて表示されるとともに、地上デジタル放送の各チャンネルの番号が、項目「地上デジタル」の上下に配列されて表示される。
【００４７】
さらに、デモンストレーションモード実行画面９３では、カーソル９４が、一定時間間隔で地上デジタル放送の各チャンネルの番号上に順次移動することによって、地上デジタル放送の各チャンネルの番号が順次指示（強調）されるとともに、そのカーソル９４によって指示されたチャンネル番号の近傍に、当該のチャンネルで放送されている番組プログラムの概要が文字で表示され、背景画像として、その番組プログラムの映像が表示される。
【００４８】
したがって、利用者は、自身が選択した地上デジタル放送受信機能という上位機能のもとで、下位機能（コンテンツ項目）として、どのようなチャンネルないし番組プログラムが存在し、選択できるかを、メニュー上で利用者が操作するのと同じ感覚で理解することができる。
【００４９】
さらに、デモンストレーションモード実行画面９３には、一時停止ボタン９５ａ、繰り返しボタン９５ｂ、および次の機能の紹介に移行するためのボタン９５ｃが設けられる。
【００５０】
リモートコントローラ６０のジョイスティック７５および決定ボタン７６などによって、利用者が一時停止ボタン９５ａを操作したときには、カーソル９４は、そのとき指示していたチャンネル番号上で停止し、番組プログラムの概要などの表示も、そのときのままとされる。
【００５１】
この状態で繰り返しボタン９５ｂが操作されると、カーソル９４は、もとのように上下に移動し、地上デジタル放送の各チャンネルの番号を順次指示する。
【００５２】
また、項目「メモリーカード」が操作されると、ディスプレイ５１上には、写真機能についての図５に示すようなデモンストレーションモード実行画面９７が表示される。
【００５３】
また、ボタン９５ｃが操作されると、ディスプレイ５１上には、デモンストレーションモード設定時に選択された次の機能についてのデモンストレーションモード実行画面が表示されるが、上記の例では、デモンストレーションモード設定時、地上デジタル放送受信機能および写真機能だけが選択されているので、項目「メモリーカード」が操作されたときと同様に、写真機能についての図５に示すようなデモンストレーションモード実行画面９７が表示される。
【００５４】
デモンストレーションモード実行画面９７では、各機能を示す「メモリーカード」「地上デジタル」「ＢＳ」「ＣＳ」などの項目が、左右方向に配列されて表示されるとともに、メモリーカード４７に記録されている各静止画のサムネイル画像（縮小画像）および画像ファイル名などが、項目「メモリーカード」の上下に配列されて表示される。
【００５５】
さらに、デモンストレーションモード実行画面９７では、カーソル９８が、一定時間間隔で各静止画のサムネイル画像上に順次移動することによって、各静止画のサムネイル画像が順次指示（強調）されるとともに、そのカーソル９８によって指示された静止画サムネイル画像の近傍に、当該の静止画（写真）の撮影日など、当該の静止画に関連する事項が表示される。
【００５６】
したがって、利用者は、自身が選択した写真機能（静止画表示機能）という上位機能のもとで、下位機能（コンテンツ項目）として、どのような静止画が存在し、選択できるかを、スライドショーを見るような感覚で理解することができる。
【００５７】
ただし、以上は、デモンストレーションモード実行時、静止画が記録されているメモリーカード４７が映像表示システム１０に接続されている場合である。
【００５８】
デモンストレーションモード実行時、メモリーカード４７が映像表示システム１０に接続されていない場合には、あらかじめ受信機本体の制御部２０内のＲＯＭに用意されている画像が、「メモリーカードが接続されていないため、用意されている画像を表示します。」などのコメントが付された状態で、ディスプレイ５１上に表示される。
【００５９】
デモンストレーションモード実行画面９７にも、一時停止ボタン９９ａ、繰り返しボタン９９ｂ、および次の機能の紹介に移行するためのボタン９９ｃが設けられる。
【００６０】
地上デジタル放送受信機能についてのデモンストレーションモード実行画面９３と同様に、利用者が一時停止ボタン９９ａを操作したときには、カーソル９８は、そのとき指示していた静止画サムネイル画像上で停止し、撮影日などの表示も、そのときのままとされる。
【００６１】
この状態で繰り返しボタン９９ｂが操作されると、カーソル９８は、もとのように上下に移動し、各静止画のサムネイル画像を順次指示する。
【００６２】
また、項目「地上デジタル」が操作されると、ディスプレイ５１上には、地上デジタル放送受信機能についての図４に示したデモンストレーションモード実行画面９３が表示される。
【００６３】
また、ボタン９９ｃが操作されると、ディスプレイ５１上には、デモンストレーションモード設定時に選択された次の機能についてのデモンストレーションモード実行画面が表示されるが、上記の例では、デモンストレーションモード設定時、地上デジタル放送受信機能および写真機能だけが選択されているので、項目「地上デジタル」が操作されたときと同様に、地上デジタル放送受信機能についての図４に示したデモンストレーションモード実行画面９３が表示される。
【００６４】
デモンストレーションモードが実行され、デモンストレーションモード実行画面９３または９７が表示されている状態で、例えば、モード実行ボタン８３を再度操作し、またはホームボタン７７を操作すると、デモンストレーションモードは解除され、モード実行ボタン８３を再度操作したときには、デモンストレーションモード実行前の状態、すなわち上記の例ではデモンストレーションモード実行画面９３が表示される前の状態に戻り、ホームボタン７７を操作したときには、上述したホームモード（例えば、ディスプレイ５１上に地上アナログ放送のメニュー画面が表示される状態）となる。
【００６５】
以上は、デモンストレーションモード設定時、地上デジタル放送受信機能および写真機能が選択された場合であるが、他の機能が選択された場合も、同様である。
【００６６】
（２−２．デモンストレーションモードで紹介された機能の実行：図６）
上記の例の映像表示システム１０において、図４または図５のようなデモンストレーションモード実行画面９３または９７の表示によって紹介された下位機能を実行させるには、すなわち、地上デジタル放送の特定のチャンネルを選局して、その番組プログラムを視聴し、またはメモリーカード４７に記録されている特定の静止画をディスプレイ５１上に拡大表示させるには、上記のようにモード実行ボタン８３を再度操作し、またはホームボタン７７を操作するなどによって、デモンストレーションモードを解除した上で、当該の機能を実行させる操作をすればよいが、それでは、操作が煩雑となる。
【００６７】
そこで、上記の例では、リモートコントローラ６０にジャンプボタン８４が設けられ、デモンストレーションモード実行時、このジャンプボタン８４が操作されることによって、デモンストレーションモード実行画面上でカーソルによって指示されていた下位機能が直接実行される。
【００６８】
具体的に、上記の例で、図４のように地上デジタル放送受信機能についてのデモンストレーションモード実行画面９３が表示されていて、かつカーソル９４がチャンネル番号“０２２”上にあるときに、ジャンプボタン８４が操作されると、以後、地上デジタル放送のチャンネル０２２が選局され、その番組プログラムの映像がディスプレイ５１上に表示される状態となる。
【００６９】
また、図５のように写真機能についてのデモンストレーションモード実行画面９７が表示されていて、かつカーソル９８がファイル“TVS00005”の静止画サムネイル画像上にあるときに、ジャンプボタン８４が操作されると、以後、ファイル“TVS00005”の静止画がディスプレイ５１上に表示される状態となる。
【００７０】
このように特定のチャンネルが選局された状態、または特定の静止画が表示された状態で、ジャンプボタン８４またはモード実行ボタン８３が操作されると、もとのデモンストレーションモードに戻って、デモンストレーションモード実行画面９３または９７が表示されるようにシステムを構成することができる。
【００７１】
これによれば、利用者は、例えば、ジャンプボタン８４を操作するごとに、デモンストレーションモード実行画面９７上にサムネイル画像が表示された各静止画（各写真）を順次、大きい画像として見ることができる。
【００７２】
図６に、デモンストレーションモードにおいてリモートコントローラ６０の制御部および受信機本体の制御部２０が行う以上のような操作対応処理の一例を示す。
【００７３】
この例の操作対応処理では、デモンストレーションモードにおいて、まずステップ１０１で、いずれかのボタンが操作されたか否かを判断し、いずれかのボタンが操作されたときには、ステップ１０２に進んで、デモンストレーションモード実行画面上のボタンが操作されたか否かを判断する。
【００７４】
そして、図４に示したデモンストレーションモード実行画面９３上のボタン９５ａ，９５ｂ，９５ｃ、または図５に示したデモンストレーションモード実行画面９７上のボタン９９ａ，９９ｂ，９９ｃのような、デモンストレーションモード実行画面上のボタンが操作されたと判断したときには、ステップ１０２からステップ１０３に進んで、そのボタン操作に対応した処理を実行した上で、ステップ１０１に戻り、デモンストレーションモードを継続する。
【００７５】
ステップ１０２で、デモンストレーションモード実行画面上のボタンが操作されたのではないと判断したときには、ステップ１０４に進んで、リモートコントローラ６０上のジャンプボタン８４が操作されたか否かを判断し、ジャンプボタン８４が操作されたと判断したときには、ステップ１０５に進んで、上述したように下位機能を実行する。
【００７６】
ステップ１０４で、ジャンプボタン８４が操作されたのではないと判断したときには、ステップ１０６に進んで、ボタン操作に対応した処理を実行する。例えば、デモンストレーションモードで再度、モード実行ボタン８３が操作されたときには、デモンストレーションモードを解除して、デモンストレーションモード実行前の状態に戻り、デモンストレーションモードでホームボタン７７が操作されたときには、デモンストレーションモードを解除して、ホームモードとなる。
【図面の簡単な説明】
【００７７】
【図１】この発明の方法を実行する映像表示システムの一例を示す図である。
【図２】リモートコントローラの一例を示す図である。
【図３】デモンストレーションモード設定画面の一例を示す図である。
【図４】デモンストレーションモード実行画面の一例を示す図である。
【図５】デモンストレーションモード実行画面の一例を示す図である。
【図６】デモンストレーションモードで制御部が行う操作対応処理の一例を示す図である。
【符号の説明】
【００７８】
主要部については図中に全て記述したので、ここでは省略する。
【図１】
2007081600.tif 000003
【図２】
2007081600.tif 000004
【図３】
2007081600.tif 000005
【図４】
2007081600.tif 000006
【図５】
2007081600.tif 000007
【図６】
2007081600.tif 000008